(57)【要約】【課題】建築現場作業者の負担を軽減できるとともに、建築現場での調整を容易に行うことができる筋交いユニットを提供する。【解決手段】筋交いユニット１０は、木造建築物１の一部を構成する壁枠２内に固定されて、木造建築物１の壁構造を補強するために用いられる筋交いユニットであって、土台部２１と、土台部２１の端部に連結する柱部２２と、土台部２１及び柱部２２の端部に連結する筋交い部２３とを有し、平面的に見て直角三角形状を有するトラス枠部２０と、トラス枠部２０からトラス枠部２０の外形外側に向けて突出する突出部３０と、を備える【選択図】図２
2020165277.tif 000002
【特許請求の範囲】
【請求項１】
木造建築物の一部を構成する壁枠内に固定されて、当該木造建築物の壁構造を補強するために用いられる筋交いユニットであって、
土台部と、当該土台部の端部に連結する柱部と、当該土台部及び当該柱部の端部に連結する筋交い部とを有し、平面的に見て直角三角形状を有するトラス枠部と、
前記トラス枠部から当該トラス枠部の外形外側に向けて突出する突出部と、を備えることを特徴とする筋交いユニット。
【請求項２】
前記突出部は、少なくとも、前記土台部から当該土台部の長尺方向に対し垂直方向に突出する２以上の第１方向突出部分を有することを特徴とする請求項１に記載の筋交いユニット。
【請求項３】
前記第１方向突出部分は、前記土台部の両端部から突出することを特徴とする１又は２に記載の筋交いユニット。
【請求項４】
前記突出部は、少なくとも、前記土台部と前記筋交い部との連結部分から当該土台部の長尺方向に沿って、突出する第２方向突出部分を有することを特徴とする請求項１〜３のいずれか一項に記載の筋交いユニット。
【請求項５】
前記トラス枠部及び前記突出部は、主素材を木材とすることを特徴とする請求項１〜４のいずれか一項に記載の筋交いユニット。
【請求項６】
前記突出部のうち前記土台部又は前記柱部の延長上に位置する突出部分は、前記土台部又は前記柱部を構成する木材の一部であることを特徴とする請求項５に記載の筋交いユニット。
【請求項７】
前記トラス枠部及び前記突出部を構成する木材同士を橋渡しして接合するための金属製のトラスプレートをさらに備えることを特徴とする請求項５又は６に記載の筋交いユニット。
【請求項８】
前記トラス枠部が複数サイズの壁枠内に収まるサイズで形成されており、前記突出部を含めた全体が当該複数サイズの壁枠内に収まらないサイズで形成されていることを特徴とする請求項５〜７のいずれか一項に記載の筋交いユニット。
【請求項９】
全体的に、１．５ｃｍ以上の厚みで、且つ、前記木造建築物を構成する柱の小径の半分以下の厚みで構成されていることを特徴とする請求項５〜８のいずれか一項に記載の筋交いユニット。
【請求項１０】
前記木材としてツーバイ材が用いられており、当該ツーバイ材の厚み方向が前記トラス枠部の全体平面に直交する方向を向くことを特徴とする請求項５〜９のいずれか一項に記載の筋交いユニット。
【発明の詳細な説明】
【技術分野】
【０００１】
本発明は、木造建築物の壁構造を補強するために用いられる筋交いユニットに関する。
【背景技術】
【０００２】
木造建築物の壁構造を補強するために、土台、梁、柱等で囲まれる壁枠内において斜めに延びる筋交いが用いられている（例えば、特許文献１参照）。一般的な工法において、筋交いは、建築現場において壁枠に合わせて端部が加工された木材であり、建築現場において釘等の締結具及び金属性のトラスプレートを用いて壁枠内に固定される。また、別の工法において、筋交いは、予め工場等で組み立てられた筋交いユニット（筋交いパネル）の筋交い部として、壁枠内に嵌め込まれて固定される（例えば、特許文献２参照）。従来の筋交いユニットは、設計寸法で構成された矩形形状枠と矩形形状枠内に対角線上に固定された筋交い部とを有する。このような工法で固定された筋交いは、矩形形状の壁枠内でトラス構造を構成し、木造建築物の壁構造を補強することができる。なお、本明細書における「壁枠」とは、木造軸組工法で施工されたものか木造枠組壁工法で施工されたものかを問わず、壁構造において、水平及び垂直に延びる木材に囲まれた内側矩形領域（壁枠内）を有する部分を意味し、必ずしも一の独立した枠体を示すものではない。
【先行技術文献】
【特許文献】
【０００３】
【特許文献１】特願２００９−２７０２７９号公報
【特許文献２】特願２００４−３３９８６８号公報
【発明の概要】
【発明が解決しようとする課題】
【０００４】
しかしながら、一般的な工法において、筋交い８１１を建築現場で加工・固定する場合は、現物合わせをすることができるため、現場作業が止まってしまう虞を気にしなくてよいが、建築現場作業者の負担が大きいという問題がある。すなわち、建築現場作業者は、壁枠内に筋交いが適切に嵌るよう木材を各端部につき斜めに１又は２カットしなければならず、高い技量が必要になる。また、建築現場作業者は、建築現場においてトラスプレートを取り付けなければならず、作業負担が大きくなる。
【０００５】
一方、別の工法において、従来の筋交いユニットを用いる場合は、建築現場作業者の負担を軽減できるが、現物合わせをすることができず建築現場での調整も困難であるため、壁枠内にうまく収まらなかった場合等、現場作業が止まってしまうという虞を気にしなければならないという問題がある。
【０００６】
本発明は、このような問題に鑑み、建築現場作業者の負担を軽減できるとともに、建築現場での調整を容易に行うことができる筋交いユニットを提供することを課題としている。
【課題を解決するための手段】
【０００７】
［１］本発明に係る筋交いユニットは、木造建築物の一部を構成する壁枠内に固定されて、木造建築物の壁構造を補強するために用いられる筋交いユニットであって、土台部と、土台部の端部に連結する柱部と、土台部及び柱部の端部に連結する筋交い部とを有し、平面的に見て直角三角形状を有するトラス枠部と、トラス枠部からトラス枠部の外形外側に向けて突出する突出部と、を備えることを特徴とする。
【０００８】
本発明に係る筋交いユニットによれば、木造建築物の一部を構成する壁枠内に固定されて、木造建築物の壁構造を補強するために用いられるものであって、平面的に見て直角三角形状を有するトラス枠部を備えるため、壁枠内にそのまま固定されることで壁枠内にトラス構造を構成することから、高い技量を有していない建設現場作業者であっても取り付け労力少なく木造建築物の壁構造を補強することができる。
【０００９】
また、本発明に係る筋交いユニットによれば、トラス枠部からトラス枠部の外形外側に向けて突出する突出部を備えるため、突出部の端部を端面に平行に適宜カットすることで壁枠内に現物合わせ可能なことから、高い技量を有していない建設現場作業者であっても建築現場において壁枠内への嵌め込み調整を容易にできる。
【００１０】
その結果、本発明に係る筋交いユニットは、建築現場作業者の負担を軽減できるとともに、建築現場での調整を容易に行うことができる筋交いユニットとなる。
【００１１】
［２］本発明に係る筋交いユニットにおいては、突出部は、少なくとも、土台部から土台部の長尺方向に対し垂直方向に突出する２以上の第１方向突出部分を有することが好ましい。
【００１２】
このように構成された筋交いユニットによれば、突出部に第１方向突出部分を有するため、第１方向突出部分の端部を端面に平行に適宜カットすることで壁枠の土台−梁間（水平壁枠材間）に現物合わせ可能なことから、建築現場において垂直方向の幅調整を容易にできる。
【００１３】
［３］本発明に係る筋交いユニットにおいては、第１方向突出部分は、土台部の両端部から突出することが好ましい。
【００１４】
このように構成された筋交いユニットによれば、土台部の両端部が第１方向突出部分で支持されるため、壁枠内に安定した姿勢で配置できる。
【００１５】
［４］本発明に係る筋交いユニットにおいては、突出部は、少なくとも、土台部と筋交い部との連結部分から土台部の長尺方向に沿って、突出する第２方向突出部分を有することが好ましい。
【００１６】
このように構成された筋交いユニットによれば、突出部に第２方向突出部分を有するため、第２方向突出部分の端部を端面に平行に適宜カットすることで壁枠の柱間（垂直壁枠材間）に現物合わせ可能なことから、建築現場において水平方向の幅調整を容易にできる。
【００１７】
［５］本発明に係る筋交いユニットにおいては、トラス枠部及び突出部は、主素材を木材とすることが好ましい。
【００１８】
このように構成された筋交いユニットによれば、全体的に主素材が木材となるため、強度を確保できるとともに、調整のために容易にカットできる。
【００１９】
［６］本発明に係る筋交いユニットにおいては、突出部のうち土台部又は柱部の延長上に位置する突出部分は、土台部又は柱部を構成する木材の一部であることが好ましい。
【００２０】
このように構成された筋交いユニットによれば、一部の突出部分が土台部又は柱部を構成する木材の一部であるため、この突出部分と土台部又は柱部とが一体構造になることから、部品点数を少なくできるとともに、強度を高めることができる。
【００２１】
［７］本発明に係る筋交いユニットにおいては、トラス枠部及び突出部を構成する木材同士を橋渡しして接合するための金属製のトラスプレートをさらに備えることが好ましい。
【００２２】
このように構成された筋交いユニットによれば、金属製のトラスプレート備えるため、トラスプレートで木材同士がより強固に接合されることから、より強度を高めることができる。
【００２３】
［８］本発明に係る筋交いユニットにおいては、トラス枠部が複数サイズの壁枠内に収まるサイズで形成されており、突出部を含めた全体が前記複数サイズの壁枠内に収まらないサイズで形成されていてもよい。
【００２４】
このように構成された筋交いユニットによれば、トラス枠部が複数サイズの壁枠内に収まるサイズで、突出部を含めた全体が複数サイズの壁枠内に収まらないサイズであるため、各サイズの壁枠に対応させるには突出部を適宜カットすればよいことから、複数サイズの壁枠に適応できる。
【００２５】
［９］本発明に係る筋交いユニットにおいては、全体的に、１．５ｃｍ以上の厚みで、且つ、前記木造建築物を構成する柱の小径の半分以下の厚みで構成されていることが好ましい。
【００２６】
このように構成された筋交いユニットによれば、相互に反転させて２つ重ねて合わせて柱間に収めることが容易であることから、２つ重ね合せて壁構造をより強く補強することができる。
【００２７】
［１０］本発明に係る筋交いユニットにおいては、木材としてツーバイ材が用いられており、ツーバイ材の厚み方向がトラス枠部の全体平面に直交する方向を向くことが好ましい。
【００２８】
このように構成された筋交いユニットによれば、ツーバイ材の厚み方向がトラス枠部の全体平面に直交する方向を向くため、２つ重ねて合わせて厚み寸法が７６ｍｍ以上の壁枠内に収めることが可能であることから、左右対称の向きで２つ重ね合せることで厚み寸法が７６ｍｍ以上の壁の壁構造をより強く補強することができる。
【発明の効果】
【００２９】
本発明によれば、建築現場作業者の負担を軽減できるとともに、建築現場での調整を容易に行うことができる筋交いユニットを提供することができる。
【図面の簡単な説明】
【００３０】
【図１】実施形態に係る筋交いユニット１０の使用目的の説明図である。
【図２】実施形態に係る筋交いユニット１０の正面図及び側面図である。
【図３】実施形態に係る筋交いユニット１０の使用方法を示すフローチャートである。
【図４】実施形態に係る筋交いユニット１０の使用形態における正面図及びＡ−Ａ断面図である。
【発明を実施するための形態】
【００３１】
以下に図面を参照して本発明の一実施形態である筋交いユニットについて説明するが、本発明は、これらの実施形態に限定されるわけではない。なお、各図面は必ずしも実際の寸法や細部までを厳密に反映したものではない。なお、本明細書において、「ツーバイ材」（２Ｘ材）とは、約３８ｍｍ厚及び所定の幅で規格化された木材全般を示す。ツーバイ材として、例えば、約３８ｍｍ厚×約８９ｍｍ幅の「ツーバイフォー材」（２Ｘ４材）、約３８ｍｍ厚×約１４０ｍｍ幅の「ツーバイシックス材」（２Ｘ６材）、約３８ｍｍ厚×約１８４ｍｍ幅の「ツーバイエイト材」（２Ｘ８材）等が規格化されている。
【００３２】
［１−１．実施形態に係る筋交いユニット１０の構成］
図１は、実施形態に係る筋交いユニット１０の使用目的の説明図である。
図２は、実施形態に係る筋交いユニット１０の正面図及び側面図である。図２（ａ）は平面的に見る正面図を示し、図２（ｂ）はその右側面図を示す。
【００３３】
実施形態に係る筋交いユニット１０は、図１に示すように、木造建築物１の壁の一部を構成する壁枠２内に嵌め込まれて固定されることで、木造建築物１の壁構造の補強に用いられる。壁枠２は、水平方向に沿って延びる水平壁枠材２Ｈと水平壁枠材２Ｈに対して垂直方向に延びる垂直壁枠材２Ｖとが組み合わされて矩形形状枠となっている。水平壁枠材及び垂直壁枠材としては、例えばツーバイ材が用いられ、本実施形態の水平壁枠材２Ｈ及び垂直壁枠材２Ｖにはツーバイフォー材が用いられている。水平壁枠材２Ｈ及び垂直壁枠材２Ｖは、その幅方向が壁枠２全体の厚み方向を向くように、枠状に組み込まれている。すなわち、本実施形態の壁枠２は、８９ｍｍ厚で平面的に広がっている。筋交いユニット１０は、工場等で予め製造された態様で建築現場に複数供給され、建設現場で各壁枠２に対応させて、後述するような簡単にできる調整がなされ、壁枠２に固定される。
【００３４】
筋交いユニット１０は、図２に示すように、主素材として、隣辺部構成木材１１、対辺部構成木材１２、斜辺部構成木材１３、及び脚木材１４を有し、これら４本の木材が組み合わされて、略直角三角形状の立体構造物として構成されている。これら木材には、例えばツーバイ材が用いられ、本実施形態の隣辺部構成木材１１、対辺部構成木材１２、斜辺部構成木材１３、及び脚木材１４にはツーバイフォー材が用いられている。隣辺部構成木材１１、対辺部構成木材１２、斜辺部構成木材１３、及び脚木材１４は、その厚み方向が筋交いユニット１０全体平面に直交する方向（筋交いユニット１０全体の厚み方向）を向くように、組み込まれている。すなわち、筋交いユニット１０は、全体の厚みが、約３８ｍｍ厚（後述のトラスプレート４０等の部分は除く）に形成されている。隣辺部構成木材１１、対辺部構成木材１２、斜辺部構成木材１３、及び脚木材１４の隣接する木材同士は、釘や後述のトラスプレート４０等の締結具によって、強固に接合されている。
【００３５】
筋交いユニット１０のより具体的な形態について説明する。隣辺部構成木材１１は、内側の直角三角形の隣辺に沿うように配置されている。隣辺部構成木材１１は、壁枠２の幅向に対応すべく、４６０ｍｍ〜１３６０ｍｍの長さになっている。隣辺部構成木材１１は、斜辺側が内側の直角三角形より外側にはみ出し、対辺側が対辺部構成木材１２の側面に固定されている。また、対辺部構成木材１２は、内側の直角三角形の対辺に沿うように配置されている。対辺部構成木材１２は、壁枠２の高さ方向に対応すべく、１５００ｍｍ〜３０００ｍｍの長さになっている。対辺部構成木材１２は、隣辺側が内側の直角三角形より外側にはみ出し、斜辺側が直角三角形の頂点部に位置させている。また、斜辺部構成木材１３は、内側の直角三角形の斜辺に沿うように配置されている。斜辺部構成木材１３は、対辺側が斜めにカットされて対辺部構成木材１２の端部側面に固定されており、隣辺側が斜めにカットされて隣辺部構成木材１１の側面に固定されている。斜辺部構成木材１３は、隣辺部構成木材１１及び対辺部構成木材１２の長さに応じて、直角三角形状の対辺部を構成する長さになっている。脚木材１４は、対辺に対して平行に、内側の直角三角形の隣辺における斜辺側端部から延びるようにして、隣辺部構成木材１１の側面に固定されている。
【００３６】
隣辺部構成木材１１、対辺部構成木材１２、斜辺部構成木材１３、及び脚木材１４を一体として見た際には、筋交いユニット１０は、平面的に見て直角三角形状を有するトラス枠部２０と、トラス枠部２０からトラス枠部２０の外形外側に向けて突出する突出部３０と、締結具の一つとしてのトラスプレート４０と、を備えている。なお、筋交いユニット１０は、トラス枠部２０が複数サイズの壁枠（２）内に収まるサイズで形成されており、突出部３０を含めた全体が複数サイズの壁枠（２）内に収まらないサイズで形成されている。すなわち、筋交いユニット１０は、ある程度壁枠２のサイズにばらつきがあっても、突出部３０の端部を適宜カットされることで、壁枠（２）内に適切に収まるように形成されている。
【００３７】
トラス枠部２０は、平面的に見て直角三角形状であり、土台部２１と、土台部２１の端部に連結する柱部２２と、土台部２１及び柱部２２の端部に連結する筋交い部２３とを有している。土台部２１は、トラス枠部２０と重ね合わせた直角三角形の隣辺位置に相当部分である。柱部２２は、トラス枠部２０と重ね合わせた直角三角形の対辺位置に相当する部分である。筋交い部２３は、トラス枠部２０と重ね合わせた直角三角形の斜辺位置に相当する部分である。なお、トラス枠部２０は、トラス形状で安定した形状を有しているため、外力によって変形し難い。
【００３８】
突出部３０は、土台部２１から土台部２１の長尺方向に対し垂直方向に突出する２以上の第１方向突出部分３０Ａと、土台部２１と筋交い部２３との連結部分から土台部２１の長尺方向に沿って、突出する第２方向突出部分３０Ｂと、を有している。第１方向突出部分３０Ａは、土台部２１の両端部から突出している。換言すると、突出部３０は、第１方向突出部分３０Ａとして、対辺部構成木材１２においてトラス枠部２０に対して突出している部分である第１突出部分３１、及び、脚木材１４全体である第２突出部分３２を有している。また、突出部は、第２方向突出部分３０Ｂとして、隣辺部構成木材１１においてトラス枠部２０に対して突出している部分である第３突出部分３３を有している。つまり、突出部３０のうち柱部２２の延長上に位置する第１突出部分３１は、柱部２２を構成する対辺部構成木材１２の一部である。また、突出部３０のうち土台部２１の延長上に位置する第３突出部分３３は、土台部２１の大部分を構成する隣辺部構成木材１１の一部である。なお、突出部３０は、使用する際に、壁枠２に対応させて、例えば、図２（ａ）に示すカットラインＣＬに沿ってカットできるよう、ある程度の長さをもってトラス枠部２０から突出している。
【００３９】
トラスプレート４０は、貫通孔を有する金属製の平板である。トラスプレート４０は、接合部において、複数の木材の表面を亘るように配置されて、その貫通孔を通すように木ネジ等が打たれて固定されることにより、木材同士を橋渡しして接合するために用いられている。トラスプレート４０は、図２（ａ）に示す大トラスプレート４１や小トラスプレート４２のように様々の形状が設定され、接合部のサイズに応じて適宜選択されたものであってもよい。また、トラスプレート４０は、好ましくは、より強度を高めるために、図２（ｂ）に示すように、トラス枠部２０及び突出部３０の両表面に固定されている。
【００４０】
［１−２．実施形態に係る筋交いユニット１０の使用方法］
図３は、実施形態に係る筋交いユニット１０の使用方法を示すフローチャートである。
図４は、実施形態に係る筋交いユニット１０の使用形態における正面図及びＡ−Ａ断面図である。図４（ａ）は正面図を示し、図４（ｂ）は図４（ａ）のＡ−Ａ線に沿ったＡ−Ａ断面図を示す。
【００４１】
筋交いユニット１０は、建築現場で建築現場作業者によって、図３に示すように、確認工程ＳＴ１、調整工程ＳＴ２、嵌め込み工程ＳＴ３、及び固定工程ＳＴ４が実施されることで使用される。
【００４２】
まず、確認工程ＳＴ１において、筋交いユニット１０を対辺部構成木材１２の上面（図２の上側）及び側面を壁枠２の内面に当てつけた状態で、壁枠２内に嵌め込めるか確認する。合わない場合（嵌め込めそうにない場合）には、どの程度突出部３０が壁枠にひっかかるかを確認し、筋交いユニット１０を壁枠２との隙間が僅かにて壁枠２に嵌め込めるよう、カットラインＣＬ（図２参照）の位置を定め、調整工程ＳＴ２に進む。合う場合（壁枠との隙間が僅かの範囲で嵌め込めそうな場合）には、嵌め込み工程ＳＴ３に進む。なお、カットラインＣＬは、突出部３０の端面に対して平行になる。
【００４３】
次に、調整工程ＳＴ２において、確認工程ＳＴ１で定めた端面に対して平行なカットラインＣＬに沿って、突出部３０の端部をカットして、確認工程ＳＴ１に戻る。
【００４４】
次に嵌め込み工程ＳＴ３において、図４に示すよう、筋交いユニット１０を対辺部構成木材１２の上面（図２の上側）及び側面を壁枠２の内面に当てつけた状態で、壁枠２内に嵌め込む。
【００４５】
次に固定工程ＳＴ４において、図４に示すように、壁枠２の外側から隣辺部構成木材１１及び対辺部構成木材１２の端面に、木ネジ等の締結具を打ち付けるようにして、筋交いユニット１０を壁枠２に固定する。なお、脚木材１４の端面に、木ネジ等の締結具を打ち付けてもよい。
【００４６】
さらに、好ましくは壁構造の強度をより高めるため、図４（ａ）の左側や図４（ｂ）に示すように、複数の筋交いユニット１０を重ね合わせて壁枠２内に固定するとよい。その際、一方の筋交いユニット１０Ａと他方の筋交いユニット１０Ｂとを左右反転の向きにすることで、全体的に壁構造の強度を高められるとともに、斜辺部構成木材１３（筋交い部２３）がクロスし、左右どちらからの外力に対する壁構造の強度を偏りなく高められる。なお、前述したように、壁枠２と筋交いユニット１０とは同様にツーバイフォー材を用いて構成されているが、壁枠２の各木材と筋交いユニット１０の各木材とは、向きが９０度異なっているため、筋交いユニット１０Ａ及び１０Ｂを重ねても、壁枠２内に収まる。
【００４７】
［１−３．実施形態に係る作用・効果］
筋交いユニット１０によれば、木造建築物１の一部を構成する壁枠２内に固定されて、木造建築物１の壁構造を補強するために用いられるものであって、平面的に見て直角三角形状を有するトラス枠部２０を備えるため、壁枠２内にそのまま固定されることで壁枠２内にトラス構造を構成することから、高い技量を有していない建設現場作業者であっても取り付け労力少なく木造建築物１の壁構造を補強することができる。
【００４８】
筋交いユニット１０によれば、トラス枠部２０からトラス枠部２０の外形外側に向けて突出する突出部３０を備えるため、突出部３０の端部を端面に平行に適宜カットすることで壁枠２内に現物合わせ可能なことから、高い技量を有していない建設現場作業者であっても建築現場において壁枠２内への嵌め込み調整を容易にできる。
【００４９】
その結果、筋交いユニット１０は、建築現場作業者の負担を軽減できるとともに、建築現場での調整を容易に行うことができる筋交いユニットとなる。
【００５０】
筋交いユニット１０によれば、突出部３０に第１方向突出部分３０Ａを有するため、第１方向突出部分３０Ａの端部を端面に平行に適宜カットすることで壁枠２の土台−梁間（水平壁枠材２Ｈ間）に現物合わせ可能なことから、建築現場において垂直方向の幅調整を容易にできる。
【００５１】
筋交いユニット１０においては、第１方向突出部分３０Ａは、土台部２１の両端部から突出する。このため、筋交いユニット１０によれば、土台部２１の両端部が第１方向突出部分３０Ａで支持されることから、壁枠２内に安定した姿勢で配置できる。
【００５２】
筋交いユニット１０によれば、突出部３０に第２方向突出部分３０Ｂを有するため、第２方向突出部分３０Ｂの端部を端面に平行に適宜カットすることで壁枠２の柱間（垂直壁枠材２Ｖ間）に現物合わせ可能なことから、建築現場において水平方向の幅調整を容易にできる。
【００５３】
筋交いユニット１０においては、トラス枠部２０及び突出部３０は、主素材を木材とする。このため、筋交いユニット１０によれば、全体的に主素材が木材となることから、強度を確保できるとともに、調整のために容易にカットできる。
【００５４】
筋交いユニット１０においては、突出部３０のうち土台部２１又は柱部２２の延長上に位置する突出部分３１，３３は、土台部２１又は柱部２２を構成する木材の一部である。このため、筋交いユニット１０によれば、一部の突出部分３１，３３が土台部２１又は柱部２２を構成する木材の一部であることから、この突出部分３１，３３と土台部２１又は柱部２２とが一体構造になることから、部品点数を少なくできるとともに、強度を高めることができる。
【００５５】
筋交いユニット１０によれば、トラス枠部２０及び突出部３０を構成する木材同士を橋渡しして接合するための金属製のトラスプレート４０備えるため、トラスプレート４０で木材同士がより強固に接合されることから、より強度を高めることができる。
【００５６】
筋交いユニット１０によれば、トラス枠部２０が複数サイズの壁枠２内に収まるサイズで、突出部３０を含めた全体が複数サイズの壁枠２内に収まらないサイズであるため、各サイズの壁枠２に対応させるには突出部３０を適宜カットすればよいことから、複数サイズの壁枠２に適応できる。
【００５７】
筋交いユニット１０によれば、ツーバイ材の厚み方向がトラス枠部２０の全体平面に直交する方向を向くため、２つ重ねて合わせて厚み寸法が７６ｍｍ以上の壁枠２内に収めることが可能であることから、左右対称の向きで２つ重ね合せることで厚み寸法が７６ｍｍ以上の壁の壁構造をより強く補強することができる。
【００５８】
本実施形態によれば建築現場作業者の負担を軽減できるとともに、建築現場での調整を容易に行うことができる筋交いユニット１０を提供することができる。
【００５９】
以上、本発明を上記の実施形態に基づき説明したが、本発明は上記の実施形態に限定されるものではない。その趣旨を逸脱しない範囲において種々の態様において実施することが可能であり、例えば、次のような変形も可能である。
【００６０】
（１）上記実施形態において記載した構成要素の数、形状、位置、向き、大きさ、材質、締結方法、締結位置等は例示であり、本発明の効果を損なわない範囲において変更することが可能である。
【００６１】
（２）上記した実施形態においては、水平壁枠材２Ｈ及び垂直壁枠材２Ｖにはツーバイフォー材が用いられていると説明したが、本発明はこれに限定されるものではない。例えば、水平壁枠材２Ｈ及び垂直壁枠材２Ｖとして、ツーバイシックス材やツーバイエイト材といった他のツーバイ材が用いられていてもよい。また、水平壁枠材２Ｈ及び垂直壁枠材２Ｖとして、ツーバイ材ではない角材が用いられていてもよい。なお、前述したように、水平壁枠材及び垂直壁枠材は、囲まれた内側矩形領域（壁枠内）を有する部分を構成する水平及び垂直に延びる木材であればよく、必ずしも一の独立した枠体の一部でなくてもよく、木造軸組工法で施工されたものでも木材枠組壁工法で施工されたものであってもよい。
【００６２】
（３）上記した実施形態においては、筋交いユニット１０を構成する木材にはツーバイフォー材が用いられていると説明したが、本発明はこれに限定されるものではない。例えば、筋交いユニット１０を構成する木材として、ツーバイシックス材やツーバイエイト材等といった他のツーバイ材が用いられていてもよい。また、筋交いユニット１０を構成する木材として、ツーバイ材ではない角材が用いられていてもよい。
【００６３】
（４）上記した実施形態においては、筋交いユニット１０を構成する木材にはツーバイフォー材が用いられている、すなわち、筋交いユニット１０は、全体的な厚みが約３８ｍｍのものとして説明したが、本発明はこれに限定されるものではない。ただし、筋交いユニットは、相互に反転させて２つ重ねて合わせて柱間に収めることが容易なように、全体的に、木造建築物を構成する柱の小径の半分以下の厚みで構成されていることが好ましい。このように構成された筋交いユニットは、相互に反転させて２つ重ね合せて配置することで、壁構造をより強く補強することができる。なお、建築基準法において、圧縮力を負担する筋交いについては３ｃｍ以上の厚さが要求されており、引張り力を負担する筋交いについては１．５ｃｍ以上の厚さが要求されている。このため、筋交いユニットは、相互に反転させて２つ重ね合わせて配置した場合にいずれかが引張り力を負担できることを考慮したとしても、全体的に１．５ｃｍ以上の厚みで構成されていることが好ましい。
【００６４】
（５）上記した実施形態においては、筋交いユニット１０は、４本の木材で構成されていると説明したが、本発明はこれに限定されるものではない。筋交いユニットの全体的な形状としてトラス枠部及び突出部を備えていればよく、例えば、全ての突出部がトラス枠部とは別の木材から形成されていてもよい。また、突出部の数が上記した実施形態より多い４以上であってもよい。
【００６５】
（６）上記した実施形態においては、トラスプレート４０は、木材同士の接合部だけに沿わせるものとして説明したが、本発明はこれに限定されるものではない。例えば、トラスプレートは、一のトラスプレートで筋交いユニットの表面を全体的に覆うものであってもよい。
【符号の説明】
【００６６】
１…木造建築物、２…壁枠、２Ｈ…水平壁枠材、２Ｖ…垂直壁枠材、１０，１０Ａ，１０Ｂ…筋交いユニット、１１…隣辺部構成木材、１２…対辺部構成木材、１３…斜辺部構成木材、１４…脚木材、２０…トラス枠部、２１…土台部、２２…柱部、２３…筋交い部、３０突出部、３０Ａ…第１方向突出部分、３０Ｂ…第２方向突出部分、３１…第１突出部分、３２…第２突出部分、３３…第３突出部分、４０…トラスプレート、ＣＬ…カットライン、ＳＴ１…確認工程、ＳＴ２…調整工程、ＳＴ３…嵌め込み工程、ＳＴ４…固定工程
【図１】
2020165277.tif 000003
【図２】
2020165277.tif 000004
【図３】
2020165277.tif 000005
【図４】
2020165277.tif 000006
【手続補正書】
【提出日】令和1年12月28日(2019.12.28)
【手続補正１】
【補正対象書類名】特許請求の範囲
【補正対象項目名】請求項１
【補正方法】変更
【補正の内容】
【請求項１】
木造建築物の一部を構成する壁枠内に固定されて、当該木造建築物の壁構造を補強するために用いられる筋交いユニットであって、
土台部と、当該土台部の端部に連結する柱部と、当該土台部及び当該柱部の端部に連結する筋交い部とを有し、平面的に見て直角三角形状を有するトラス枠部と、
前記トラス枠部から当該トラス枠部の外形外側に向けて、前記土台部の長尺方向に対して垂直方向又は水平方向に突出する突出部と、を備えることを特徴とする筋交いユニット。
【手続補正２】
【補正対象書類名】特許請求の範囲
【補正対象項目名】請求項３
【補正方法】変更
【補正の内容】
【請求項３】
前記第１方向突出部分は、前記土台部の両端部から突出することを特徴とする請求項２に記載の筋交いユニット。
【手続補正３】
【補正対象書類名】特許請求の範囲
【補正対象項目名】請求項９
【補正方法】変更
【補正の内容】
【請求項９】
前記トラス枠部の厚みは、１．５ｃｍ以上、且つ、前記木造建築物を構成する柱の小径の半分以下で構成されていることを特徴とする請求項５〜８のいずれか一項に記載の筋交いユニット。
【手続補正書】
【提出日】令和2年5月19日(2020.5.19)
【手続補正１】
【補正対象書類名】特許請求の範囲
【補正対象項目名】請求項１
【補正方法】変更
【補正の内容】
【請求項１】
木造建築物の一部を構成する壁枠内に固定されて、当該木造建築物の壁構造を補強するために用いられる筋交いユニットであって、
土台部と、当該土台部の端部に連結する柱部と、当該土台部及び当該柱部の端部に連結する筋交い部とを有し、平面的に見て直角三角形状を有するトラス枠部と、
前記トラス枠部から当該トラス枠部の外形外側に向けて、少なくとも、前記土台部から当該土台部の長尺方向に対し垂直方向に突出する又は前記土台部と前記筋交い部との連結部分から当該土台部の長尺方向に沿って突出する突出部と、を備え、
少なくとも前記突出部の端部がカットされることで前記壁枠内に嵌め込み可能になるよう構成されていることを特徴とする筋交いユニット。